(57)【要約】      （修正有）【課題】パネル支持台が抜けてしまうのを阻むことができる上、耐久性に優れた簡素構造のフリーアクセスフロア用支持脚を提供する。【解決手段】基礎床面に略軸状に立設される支柱１２と、支柱１２の上端側に略キャップ状に被せられるパネル支持台２０と、支柱１２に螺合されてパネル支持台２０を下方から受ける高さ調整ナット３０とを備え、基礎床面ｆとパネル支持台２０との間に所定高さの空間を確保するようにしたフリーアクセスフロア用支持脚Ａにおいて、パネル支持台２０における略キャップ状の部分に、支柱１２と交差する方向へ固定ネジ６０を貫挿させ、固定ネジ６０と高さ調整ナット３０とを係合させることで、パネル支持台２０が支柱１２から上方へ抜けるのを阻むようにした。【選択図】図２
0003110163.tif 000002
【実用新案登録請求の範囲】
【請求項１】
基礎床面に略軸状に立設される支柱と、該支柱の上端側に略キャップ状に被せられるパネル支持台と、前記支柱に螺合されて前記パネル支持台を下方から受ける高さ調整ナットとを備え、前記基礎床面と前記パネル支持台との間に所定高さの空間を確保するようにしたフリーアクセスフロア用支持脚において、
前記パネル支持台における略キャップ状の部分に、前記支柱と交差する方向へ固定ネジを貫挿させ、該固定ネジと前記高さ調整ナットとを係合させることで、前記パネル支持台が上記支柱から上方へ抜けるのを阻むようにしたことを特徴とするフリーアクセスフロア用支持脚。
【請求項２】
上記パネル支持台における略キャップ状の部分に、上記高さ調整ナットに対し上方から環状に装着される環装部を設け、
上記固定ネジを前記環装部に貫通するとともに、この固定ネジの先端側を上記高さ調整ナットの周壁に螺合するようにしたことを特徴とする請求項１記載のフリーアクセスフロア用支持脚。
【請求項３】
上記パネル支持台における略キャップ状の部分に、上記高さ調整ナットに対し上方から環状に装着される環装部を設け、
上記高さ調整ナットの外周面には環状凹部を形成し、
上記固定ネジを、前記環装部に螺合するとともに上記高さ調整ナットの前記環状凹部に上記固定ネジの先端を嵌め合わせるようにしたことを特徴とする請求項１記載のフリーアクセスフロア用支持脚。
【請求項４】
上記環装部の内周面を、上記高さ調整ナットの外周面にならう多角形状に形成して、これら内周面と外周面とが嵌り合うようにしたことを特徴とする請求項２又は３記載のフリーアクセスフロア用支持脚。
【請求項５】
上記高さ調整ナットを、上記環装部内に挿入されて上記固定ネジの先端に当接される挿入部と、上記環装部の下方側に露出される露出部とから構成し、
上記環装部と前記挿入部との内の一方または双方を略円筒状に構成し、
前記露出部の外周面を、所定の工具により係合されるように形成したことを特徴とする請求項１乃至４何れか１項記載のフリーアクセスフロア用支持脚。
【請求項６】
上記パネル支持台よりも下方側で上記支柱に螺合させるナット本体部と、上記パネル支持台における略キャップ状の部分に対し重なり合うように配置されるとともに上記固定ネジを貫挿させる固定ネジ貫挿部とから、上記高さ調整ナットを一体的に構成し、
上記固定ネジを前記固定ネジ貫挿部および上記パネル支持台に貫挿させるとともに、同固定ネジを前記固定ネジ貫挿部または上記パネル支持台に螺合させるようにしたことを特徴とする請求項１記載のフリーアクセスフロア用支持脚。
【考案の詳細な説明】
【技術分野】
【０００１】
本考案は、床面と基礎床面との間に空間を確保するようにしたフリーアクセスフロア用の支持脚に関するものである。
【背景技術】
【０００２】
この種の考案には、特許文献１に記載されたもののように、基礎床面（１）に略軸状に立設される脚支柱（２ｂ）と、該脚支柱（２ｂ）の上端側に略キャップ状に被せられるパネル支持台（３）と、前記脚支柱（２ｂ）に螺合されて前記パネル支持台（３）を下方から受ける高さ調整ナット（３ｄ）と、前記パネル支持台（３）の上面に支持される複数の床パネル（５）とを備え、基礎床面（１）と床パネル（５）との間に所定高さの空間を確保するようにしたフリーアクセスフロアがある。
この従来技術では、パネル支持台（３）と脚支柱（２ｂ）とが、パネル支持台（３）の嵌合軸部（３ｂ）に螺合されたボルト（３ｃ）により固定されている。
【０００３】
しかしながら、上記従来技術によれば、地震等の比較的強い振動を受けた際に、その振動により床パネル（５）が浮き上がってしまう場合がある。より詳細に説明すれば、前記振動によってパネル支持台（３）の嵌合軸部（３ｂ）が脚支柱（２ｂ）から上方へ抜けるようにして移動してしまう場合がある。
すなわち、パネル支持台（３）と脚支柱（２ｂ）とは上述したようにボルト（３ｃ）により固定されているが、地震等による鉛直方向および水平方向の力を受けた場合には、パネル支持台（３）を脚支柱（２ｂ）に対し回転させる力や、同パネル支持台（４）を脚支柱（２ｂ）に対し上下方向へ揺さぶる力等が発生する。その結果、ボルト（３）の先端面と脚支柱（２ｂ）の外周面とが擦れて、パネル支持台（４）が脚支柱（２ｂ）に対し上方へ移動し、床パネル（５）が浮き上がってしまう。
【０００４】
また、他の従来技術として、特許文献２に記載されたもののように、ネジ棒部材（４０）の外周面に溝部（４０ａ）を形成し、この溝部（４０ａ）に対し、載置台（２６）のネジ孔（２８ａ）を挿通するネジが嵌め合わせられることで、載置台（２６）がネジ棒部材（４０）から抜けてしまうのを防ぐようにしたものがある。
しかしながら、この後者の従来技術では、前記ネジ棒部材（４０）外周面の溝部（４０ａ）によりネジ棒部材（４０）の強度が低下してしまう上、ネジ棒部材（４０）を筒状の基礎足部３６に螺合接続した二部材構成としているため、材料コストの高騰が懸念される。
【特許文献１】特開２０００−４５４９９号公報
【特許文献２】特開２００１−１５２６５１号公報
【考案の開示】
【考案が解決しようとする課題】
【０００５】
本考案は上記従来事情に鑑みてなされたものであり、その課題とする処は、パネル支持台が抜けてしまうのを阻むことができる上、耐久性に優れた簡素構造のフリーアクセスフロア用支持脚を提供することにある。
【課題を解決するための手段】
【０００６】
上記課題を解決するために第一の考案は、基礎床面に略軸状に立設される支柱と、該支柱の上端側に略キャップ状に被せられるパネル支持台と、前記支柱に螺合されて前記パネル支持台を下方から受ける高さ調整ナットとを備え、前記基礎床面と前記パネル支持台との間に所定高さの空間を確保するようにしたフリーアクセスフロア用支持脚において、前記パネル支持台における略キャップ状の部分に、前記支柱と交差する方向へ固定ネジを貫挿させ、該固定ネジと前記高さ調整ナットとを係合させることで、前記パネル支持台が上記支柱から上方へ抜けるのを阻むようにしたことを特徴とする。
【０００７】
また、第二の考案では、上記パネル支持台における略キャップ状の部分に、上記高さ調整ナットに対し上方から環状に装着される環装部を設け、
上記固定ネジを前記環装部に貫通するとともに、この固定ネジの先端側を上記高さ調整ナットの周壁に螺合するようにしたことを特徴とする。
【０００８】
また、第三の考案では、上記パネル支持台における略キャップ状の部分に、上記高さ調整ナットに対し上方から環状に装着される環装部を設け、
上記高さ調整ナットの外周面には環状凹部を形成し、
上記固定ネジを、前記環装部に螺合するとともに上記高さ調整ナットの前記環状凹部に上記固定ネジの先端を嵌め合わせるようにしたことを特徴とする。
【０００９】
また、第四の考案では、上記環装部の内周面を、上記高さ調整ナットの外周面にならう多角形状に形成して、これら内周面と外周面とが嵌り合うようにしたことを特徴とする。
【００１０】
また、第五の考案では、上記高さ調整ナットを、上記環装部内に挿入されて上記固定ネジの先端に当接される挿入部と、上記環装部の下方側に露出される露出部とから構成し、上記環装部と前記挿入部との内の一方または双方を略円筒状に構成し、前記露出部の外周面を、所定の工具により係合されるように形成したことを特徴とする。
【００１１】
また、第六の考案では、上記パネル支持台よりも下方側で上記支柱に螺合させるナット本体部と、上記パネル支持台における略キャップ状の部分に対し重なり合うように配置されるとともに上記固定ネジを貫挿させる固定ネジ貫挿部とから、上記高さ調整ナットを一体的に構成し、上記固定ネジを前記固定ネジ貫挿部および上記パネル支持台に貫挿させるとともに、同固定ネジを前記固定ネジ貫挿部または上記パネル支持台に螺合させるようにしたことを特徴とする。
【考案の効果】
【００１２】
本考案は、以上説明したように構成されているので、以下に記載されるような作用効果を奏する。
第一の考案によれば、高さ調整ナットを回転させることで、該高さ調整ナットにより受けられたパネル支持台の高さを容易に調整することができ、ひいては、パネル支持台に支持される床パネルを適宜高さに固定することができる。
しかも、パネル支持台側の固定ネジと高さ調整ナットとを係合させることで、パネル支持台が支柱に対し上方へ抜けてしまうのを阻む構造としているため、従来技術のようにネジ棒部材に設けられる溝等により強度が低下してしまうことがない上、構造も簡素で生産性に優れている。
よって、パネル支持台が抜けてしまうのを阻むことができる上、耐久性に優れた簡素構造のフリーアクセスフロア用支持脚を提供することができる。
【００１３】
更に、第二の考案によれば、固定ネジを嵌装部に螺合させて締付けると、固定ネジの先端側が高さ調整ナットに螺合されて支柱に当接するため、パネル支持台の上方への移動を阻むことができる。
【００１４】
更に、第三の考案によれば、固定ネジを環装部に螺合させてから調整ナット外周面の環状凹部に嵌め合わせるようにしたため、固定ネジの位置合わせが容易であり、その作業性に優れている。
【００１５】
更に、第四の考案によれば、多角形状の嵌装部内周面が、同多角形状の高さ調整ナット外周面に嵌り合うため、高さ調整の際に、高さ調整ナット自体を素手や工具等で回さなくても、パネル支持台を回す操作によって高さ調整ナットを回して、パネル支持台の高さを調整することができ、その作業性に優れている。
【００１６】
更に、第五の考案によれば、露出部に所定の工具を係合させたり、露出部を素手でつまんだりして、高さ調整ナットのみを回すことができる。
したがって、パネル支持台等を支持脚に装着した後に、そのパネル支持台等を動かすことなく、パネル支持台の高さを、高さ調整ナットのみの回転により、微調整することができる。
【００１７】
更に、第六の考案によれば、高さ調整ナットのネジ貫挿部とパネル支持台とに固定ネジを貫挿させるようにしているため、固定ネジの位置合わせが容易であり、その作業性に優れている。
【考案を実施するための最良の形態】
【００１８】
以下、本考案の実施の形態を図面に基づいて説明する。
フリーアクセスフロア用支持脚Ａは、基礎床面ｆ上に略鉛直軸状に多数立設される支持脚本体１０、該支持脚本体１０の支柱１２の上端側に略キャップ状に被せられるパネル支持台２０、支持脚本体１０の支柱１２に螺合されてパネル支持台２０を下方から受ける高さ調整ナット３０等を具備してなり、パネル支持台２０上に床パネル５０が装着されることで、基礎床面ｆと床パネル５０との間に所定高さの空間を確保する（図１及び図２参照）。
【００１９】
各支持脚本体１０は、略正方形板状の基台１１の上面中心部に、略軸状の支柱１２を略鉛直状に立設してなる。
そして、この支持脚本体１０は、支柱１２の上部側に、後述する高さ調整ナット３０を螺合し、更に、同支柱１２における高さ調整ナット３０よりも上側に、パネル支持台２０を嵌合しており、基礎床面ｆに対し碁盤目状に多数載置される。
【００２０】
支柱１２は、略円柱状または略円筒状の部材であり、その上側部分を下側部分よりも縮径させ、その上側部分と下側部分との間に、環状段部１２ａを形成し、更に、該環状段部１２ａよりも上側の部分には、高さ調整ナット３０を螺合するための雌ネジ部１２ｂを形成している。
前記環状段部１２ａよりも上側の部分、すなわち雌ネジ部１２ｂの長さは、螺合される高さ調整ナット３０の位置により、パネル支持台２０及び床パネル５０等の高さを適宜に調整できるように設定されている。
【００２１】
また、パネル支持台２０は、ダイカスト成形等により加工され、略正方形状の支持台本体部２１の下部中心に、下方向きに突出する環装部２２を、一体的に垂設している。
【００２２】
支持台本体部２１は、パネル支持台２０を上方から嵌合可能な凹凸形状に形成されている。
【００２３】
環装部２２は、上記支持脚本体１０の支柱１２を遊挿して軸方向へスライド可能な略円筒状に形成され、その内周面における下端側を拡径することで、該下端側に、高さ調整ナット３０が遊挿される被挿入部２２ａを形成するとともに、該被挿入部２２ａと該被挿入部２２ａよりも上側の縮径部分との境目を、高さ調整ナット３０を当接させるための環状段部２２ｂとしている。
そして、この環装部２２は、支柱１２の上端部および高さ調整ナット３０に対し略キャップ状に被せられ、該環装部２２の周壁に固定ネジ６０が貫通され、該固定ネジ６０が所定の工具等により締付けられることで、支柱１２に固定される。
【００２４】
前記被挿入部２２ａは、高さ調整ナット３０を軸方向へ遊挿可能な略円柱状の空間を確保するように形成され、その軸方向寸法ａを、高さ調整ナット３０の軸方向寸法よりも小さく形成することで、挿入される高さ調整ナット３０の下端側部分が環装部２２よりも下方側の外部に露出するようにしている。
また、この被挿入部２２ａの周壁には、例えば六角ボルト等により構成される固定ネジ６０を貫通させるための、貫通孔２２ｃが形成されている。
【００２５】
高さ調整ナット３０は、略多角形状のナットであり、その内周面に、支柱１２の環状段部１２ａに対し螺合し合う雌ネジ部を有する。この高さ調整ナット３０は、図示された好ましい一例によれば六角ナットを用いているが、四角形状のナットや、その他の形状のナットとすることも可能である。
そして、この高さ調整ナット３０は、その上部側を、パネル支持台２０における環装部２２の被挿入部２２ａ内に挿入される挿入部３１とするとともに、その下部側を、同環装部２２の被挿入部２２ａ下方側に露出される露出部３２としている。すなわち、図示例によれば、高さ調整ナット３０における寸法ａの部分が挿入部３１であり、寸法ｂの部分が露出部３２である（図２参照）。
【００２６】
そして、この高さ調整ナット３０における挿入部３１の周壁には、固定ネジ６０の先端側を螺合させるための、ネジ孔３１ａが貫通形成されている。
【００２７】
床パネル５０は、その全体形状が平面視略正方形状を呈し、その各角側部分をパネル支持台２０に対し嵌合可能な形状に形成している。
そして、この床パネル５０は、その各角側部分がパネル支持台２０に対し載置および嵌合され、該床パネル５０よりも下方側に床下空間を確保した状態で、床面を構成する。
なお、図中符号５１は、床パネル５０をパネル支持台２０に対し固定するためのネジであり、このネジ５１は、床パネル５０の浮き上がりを効果的に抑えて、フリーアクセスフロアが使用された際の安全性を向上するものであるが、省くことも可能である。
【００２８】
次に、上記構成のフリーアクセスフロア用支持脚Ａについて、その作用効果を詳細に述べる。
支持脚本体１０の支柱１２上端側および高さ調整ナット３０に対し、パネル支持台２０の環装部２２を被せ、固定ネジ６０が所定の工具等に締付けられると、固定ネジ６０の先端側が高さ調整ナット３０に螺合されるため、パネル支持台２０は、支持脚本体１０の支柱１２に対し軸方向へ抜けることのないように固定される。
パネル支持台２０の高さを微調整する際には、固定ネジ６０を緩めた状態で、高さ調整ナット３０の露出部３２に対し所定の工具を係合させたり素手でつまんだりして、高さ調整ナット３０を回せば、高さ調整ナット３０が軸方向へ移動し、その移動に伴って、パネル支持台２０も移動することになる。
【００２９】
なお、このフリーアクセスフロア用支持脚Ａは、高さ調整ナット３０を部分的にパネル支持台２０の環装部２２外へ露出させて、パネル支持台２０の装着後に、高さ調整ナット３０による高さ調整を容易に行えるようにした好ましい一例を示しているが、高さ調整ナット３０の全体がパネル支持台２０の環装部２２に内在されて外部に露出しない構成とすることも可能である。
【００３０】
また、上記フリーアクセスフロア用支持脚Ａによれば、環装部２２を略円筒状に形成するとともに高さ調整ナット３０を多角形状に形成することで、環装部２２が高さ調整ナット３０の挿入部３１に対し自在に回動する構成としたが、逆に、環装部２２を多角形筒状に形成するとともに高さ調整ナット３０の挿入部３１を略円筒状に形成するようにしても、前記構成と略同様の作用効果を得ることができる。
【００３１】
次に、本考案に係わるフリーアクセスフロア用支持脚の他例について説明する。なお、以下に示すフリーアクセスフロア用支持脚は、上記フリーアクセスフロア用支持脚Ａの構成を部分的に変更したものであるため、上記フリーアクセスフロア用支持脚Ａと略同様の構成については、同一の符号を用いるとともに重複する詳細説明を省略する。
【００３２】
図４及び図５に示すフリーアクセスフロア用支持脚Ｂは、上述したフリーアクセスフロア用支持脚Ａにおける高さ調整ナット３０を高さ調整ナット７０に置換し、更に、環装部２２の貫通孔２２ｃをネジ孔２２ｃ’に置換した構成としている。
高さ調整ナット７０は、支柱１２の雌ネジ部１２ｂに螺合可能な六角ナットの外周面に、その全周にわたる略溝状の環状凹部７１を形成してなり、該環状凹部７１に対し、固定ネジ６０の先端部分が嵌め合わせられるように構成してある。
そして、この高さ調整ナット７０は、その上部側の前記環状凹部７１を含む部分を、パネル支持台２０における環装部２２の被挿入部２２ａ内に挿入される挿入部７２とするとともに、その下部側を、同環装部２２の被挿入部２２ａ下方側に露出される露出部７３としている。
【００３３】
このフリーアクセスフロア用支持脚Ｂによれば、固定ネジ６０と環状凹部７１との嵌り合いにより、パネル支持台２０が支持脚本体１０の支柱１２から抜けてしまうのを防ぐことができる。
なお、このフリーアクセスフロア用支持脚Ｂは、高さ調整ナット７０を部分的にパネル支持台２０外へ露出させて、パネル支持台２０の装着後に、高さ調整ナット７０による高さ調整を容易に行えるようにした好ましい一例を示しているが、高さ調整ナット７０の全体がパネル支持台２０の環装部２２に内在されて外部に露出しない構成とすることも可能である。
【００３４】
次に、図６及び図７に示すフリーアクセスフロア用支持脚Ｃは、上述したパネル支持台２０における環装部２２の被挿入部２２ａを、高さ調整ナット３０の外周面にならう多角形状の被挿入部２２ａ’に置換した構成としている。すなわち、被挿入部２２ａ’は、高さ調整ナット３０に対し嵌り合う多角形の外周形状に形成されている。
このフリーアクセスフロア用支持脚Ｃによれば、パネル支持台２０の環装部２２に対し、高さ調整ナット３０が回動不能に嵌り合うことになるため、パネル支持台２０の高さ調整をする際、高さ調整ナット３０自体を素手で回したりスパナ等の工具で回したりすることなく、パネル支持台２０を手で回転させる操作により、パネル支持台２０及び高さ調整ナット３０を上下方向へ移動させることができる。
なお、図示例によれば、高さ調整ナット３０の全体が環装部２２に内在する一例を示したが、上記フリーアクセスフロア用支持脚Ａと同様にして高さ調整ナット３０を部分的に環装部２２外に露出させて、スパナ等の工具を高さ調整ナット３０に係合させて行う高さ調整も可能な構成とすることも可能である。
【００３５】
次に、図８および図９に示すフリーアクセスフロア用支持脚Ｄは、上述したフリーアクセスフロア用支持脚Ａにおける高さ調整ナット３０を高さ調整ナット８０に置換し、更に、環装部２２の貫通孔２２ｃをネジ孔２２ｃ’に置換した構成としている。
高さ調整ナット８０は、パネル支持台２０における環装部２２の被挿入部２２ａ内に配置される挿入部８１と、環装部２２の下方側に露出される露出部８２とから一体的に構成されている（図１０参照）。
挿入部８１は、その上端側に被挿入部２２ａ内に遊挿可能な略円柱状の環状凸部８１ａを形成するとともに、該環状凸部８１ａと露出部８２との間に、固定ネジ６０の先端を嵌め合い可能な環状凹部８１ｂを形成している。
また、露出部８２は、支柱１２の雌ネジ部１２ｂに螺合可能な六角ナット状に形成され、その上端面によって、パネル支持台２０の環装部２２下端面を受けている。
このフリーアクセスフロア用支持脚Ｄによれば、固定ネジ６０が凹部８１ｂに嵌り合う為、パネル支持台２０が支持脚本体１０の支柱１２から抜けてしまうのを一層確実に防止できる上、高さ調整ナット８０を素手や所定の工具により回すことで、パネル支持台２０の高さ調整を微妙に行うことができる。
【００３６】
次に、図１２に示すフリーアクセスフロア用支持脚Ｅは、上述したフリーアクセスフロア用支持脚Ａにおける高さ調整ナット３０を高さ調整ナット９０に置換した構成とされる。
高さ調整ナット９０は、パネル支持台２０の環装部２２よりも下方側で支柱１２の雌ネジ部１２ｂに螺合可能なナット本体部９１と、パネル支持台２０の環装部２２の周壁に対し重なり合うように配置される固定ネジ貫挿部９２とからなる（図１３参照）。
前記固定ネジ貫挿部９２は、ナット本体部９１の外周面に溶着されて上方へ突出する金属片９２ａに、パネル支持台２０の貫通孔２２ｃと連通可能で、且つ固定ネジ６０を螺合可能なネジ孔９２ｂを形成してなる。
【００３７】
そして、前記構成の高さ調整ナット９０は、そのナット本体部９１が支柱１２の雌ネジ部１２ｂに螺合され、上方から環状に装着されるパネル支持台２０の環装部２２下端面を受けて、固定ネジ貫挿部９２を環装部２２の外周面に沿わせる。
また、固定ネジ６０は、固定ネジ貫挿部９２のネジ孔９２ｂに螺合されるとともに、環装部２２を貫通して雌ネジ部１２ｂに圧接される。
したがって、このフリーアクセスフロア用支持脚Ｅによれば、支持脚本体１０とパネル支持台２０とを固定ネジ６０を介して一体化するため、パネル支持台２０が支持脚本体１０の支柱１２から抜けるのを阻止することができる。
【００３８】
なお、図示例のフリーアクセスフロア用支持脚Ｅによれば、固定ネジ６０を雌ネジ部１２ｂの外周面に圧接させることで、パネル支持台２０の回転を阻む構成としているが、固定ネジ６０の先端が雌ネジ部１２ｂの外周面に接触しない構成とすることも可能である。
また、図示例のフリーアクセスフロア用支持脚Ｅによれば、パネル支持台２０における環装部２２にネジ加工されていない貫通孔２２ｃを形成し、高さ調整ナット９０の固定ネジ貫挿部９２にネジ孔９２ｂを形成しているが、逆に、パネル支持台２０における環装部２２にネジ孔を形成し、高さ調整ナット９０の固定ネジ貫挿部９２にネジ加工されていない貫通孔を形成するようにしてもよい。
また、図１２に示す一例によれば、パネル支持台２０における環装部２２の内周面を段部の無いストレート状に形成しているが、環状段部２２ｂを有する上記パネル支持台２０（図２参照）を、そのまま用いた構成とすることも可能である。
また、上記フリーアクセスフロア用支持脚Ａ〜Ｅの各々は、固定ネジ６０を単数用いた態様を例示しているが、同固定ネジ６０を、周方向及び／又は軸方向に複数用いた態様とすることで、より強固な引き抜き防止構造を得るようにしてもよい。
【図面の簡単な説明】
【００３９】
【図１】本考案に係わるフリーアクセスフロア用支持脚の一例を示す斜視図である。
【図２】同フリーアクセスフロア用支持脚の要部縦断面図である。
【図３】同フリーアクセスフロア用支持脚の要部横断面図である。
【図４】本考案に係わるフリーアクセスフロア用支持脚の他例を示す要部断面図である。
【図５】同フリーアクセスフロア用支持脚の要部横断面図である。
【図６】本考案に係わるフリーアクセスフロア用支持脚の他例を示す要部断面図である。
【図７】同フリーアクセスフロア用支持脚の要部横断面図である。
【図８】本考案に係わるフリーアクセスフロア用支持脚の他例を示す要部断面図である。
【図９】同フリーアクセスフロア用支持脚の要部横断面図である。
【図１０】同フリーアクセスフロア用支持脚における高さ調整ナットの一例を示す斜視図である。
【図１１】本考案に係わるフリーアクセスフロア用支持脚の他例を示す要部断面図である。
【図１２】同フリーアクセスフロア用支持脚におけるパネル支持台の環装部の一例を示す要部斜視図である。
【図１３】同フリーアクセスフロア用支持脚における高さ調整ナットの一例を示す要部斜視図である。
【符号の説明】
【００４０】
１０：支持脚本体
１２：支柱
２０：パネル支持台
２２：環装部
２２ａ：被挿入部
３０：高さ調整ナット
３１：挿入部
３２：露出部
５０：床パネル
６０：固定ネジ
７０：高さ調整ナット
７１：環状凹部
７２：挿入部
７３：露出部
８０：高さ調整ナット
８１：挿入部
８１ｂ：環状凹部
８２：露出部
９０：高さ調整ナット
９１：ナット本体部
９２：固定ネジ貫挿部
ｆ：基礎床面
Ａ，Ｂ，Ｃ，Ｄ，Ｅ：フリーアクセスフロア用支持脚
【図１】
0003110163.tif 000003
【図２】
0003110163.tif 000004
【図３】
0003110163.tif 000005
【図４】
0003110163.tif 000006
【図５】
0003110163.tif 000007
【図６】
0003110163.tif 000008
【図７】
0003110163.tif 000009
【図８】
0003110163.tif 000010
【図９】
0003110163.tif 000011
【図１０】
0003110163.tif 000012
【図１１】
0003110163.tif 000013
【図１２】
0003110163.tif 000014
【図１３】
0003110163.tif 000015